(57)【要約】【課題】より効率的に動作する受信装置、電子機器、及び受信方法を提供する。【解決手段】一実施形態に係る受信装置は、赤外線を受光し、前記赤外線に応じた信号を出力するフォトダイオード部と、受光した光を変換した電圧を前記フォトダイオード部に逆バイアスとして印加するバイアス回路部と、定常電源からの電圧を前記フォトダイオード部に逆バイアスとして印加するバイアス電源部と、前記バイアス回路部からの電圧の値に応じて前記バイアス回路部からの逆バイアスと、前記バイアス電源部からの逆バイアスと、のいずれかを前記フォトダイオード部に印加させる制御部と、を具備する。【選択図】      図３
2014099464.tif 000002
【特許請求の範囲】
【請求項１】
赤外線を受光し、前記赤外線に応じた信号を出力するフォトダイオード部と、
受光した光を変換した電圧を前記フォトダイオード部に逆バイアスとして印加するバイアス回路部と、
定常電源からの電圧を前記フォトダイオード部に逆バイアスとして印加するバイアス電源部と、
前記バイアス回路部からの電圧の値に応じて前記バイアス回路部からの逆バイアスと、前記バイアス電源部からの逆バイアスと、のいずれかを前記フォトダイオード部に印加させる制御部と、
を具備する受信装置。
【請求項２】
前記制御部は、前記バイアス回路部からの電圧の値と、予め設定された参照電圧とを比較し、前記バイアス回路部からの電圧の値が予め設定された参照電圧より高い場合、前記バイアス回路部からの逆バイアスを前記フォトダイオード部に印加させる、請求項１に記載の受信装置。
【請求項３】
前記制御部は、前記参照電圧を設定する為の設定信号を外部から受け取り、受け取った前記設定信号に応じて前記参照電圧を変更する、請求項２に記載の受信装置。
【請求項４】
前記制御部は、
前記バイアス回路部と前記フォトダイオード部との間に設けられ、前記バイアス電源部からの電圧により電流が前記バイアス回路部に流れることを防ぐ第１のダイオードと、
前記バイアス電源部と前記フォトダイオード部との間に設けられ、前記バイアス回路部からの電圧により電流が前記バイアス電源部に流れることを防ぐ第２のダイオードと、
を具備する請求項１に記載の受信装置。
【請求項５】
赤外線を受光し、前記赤外線に応じた信号を出力するフォトダイオード部と、
受光した光を変換した電圧を前記フォトダイオード部に逆バイアスとして印加するバイアス回路部と、
定常電源からの電圧を前記フォトダイオード部に逆バイアスとして印加するバイアス電源部と、
前記バイアス回路部からの電圧の値に応じて前記バイアス回路部からの逆バイアスと、前記バイアス電源部からの逆バイアスと、のいずれかを前記フォトダイオード部に印加させる制御部と、
を具備する電子機器。
【請求項６】
赤外線を受光し、前記赤外線に応じた信号を出力するフォトダイオード部と、受光した光を変換した電圧を前記フォトダイオード部に逆バイアスとして印加するバイアス回路部と、定常電源からの電圧を前記フォトダイオード部に逆バイアスとして印加するバイアス電源部と、を具備する受信装置の受信方法であって、
前記バイアス回路部からの電圧の値に応じて前記バイアス回路部からの逆バイアスと、前記バイアス電源部からの逆バイアスと、のいずれかを前記フォトダイオード部に印加させる、
受信方法。
【発明の詳細な説明】
【技術分野】
【０００１】
本発明の実施形態は、受信装置、電子機器、及び受信方法に関する。
【背景技術】
【０００２】
従来、放送信号を受信し、受信した放送信号に含まれている番組などの映像コンテンツを再生することができる例えば放送受信装置などの電子機器が一般的に普及している。このような電子機器は、リモートコントローラから送信された赤外線を受信する受信装置を備える。受信装置は、フォトダイオードを有する。受信装置は、受信した赤外線をフォトダイオードにより電気信号に変換する。受信装置は、電気信号を放送受信装置の制御部に供給する。これにより、放送受信装置は、リモートコントローラから送信された操作信号を受け取ることができる。
【先行技術文献】
【特許文献】
【０００３】
【特許文献１】特開２００８−１７３７４５号公報
【発明の概要】
【発明が解決しようとする課題】
【０００４】
フォトダイオードは、逆バイアスの電圧が印加された場合、光電変換の応答特性が向上する。この為、フォトダイオードに逆バイアスを印加する為のバイアス電源を有する受信装置がある。しかし、このような受信装置では、フォトダイオードに赤外光ではない低周波の外来光が照射された場合であっても、バイアス電源からフォトダイオードに電流が流れてしまう。この為、無駄な電力が消費されるという課題がある。
【０００５】
本発明の目的は、より効率的に動作する受信装置、電子機器、及び受信方法を提供することである。
【課題を解決するための手段】
【０００６】
一実施形態に係る受信装置は、赤外線を受光し、前記赤外線に応じた信号を出力するフォトダイオード部と、受光した光を変換した電圧を前記フォトダイオード部に逆バイアスとして印加するバイアス回路部と、定常電源からの電圧を前記フォトダイオード部に逆バイアスとして印加するバイアス電源部と、前記バイアス回路部からの電圧の値に応じて前記バイアス回路部からの逆バイアスと、前記バイアス電源部からの逆バイアスと、のいずれかを前記フォトダイオード部に印加させる制御部と、を具備する。
【図面の簡単な説明】
【０００７】
【図１】図１は、一実施形態に係る電子機器について説明する為の図である。
【図２】図２は、一実施形態に係る電子機器について説明する為の図である。
【図３】図３は、一実施形態に係る電子機器について説明する為の図である。
【図４】図４は、一実施形態に係る電子機器について説明する為の図である。
【発明を実施するための形態】
【０００８】
以下、図を参照しながら、一実施形態に係る受信装置、電子機器、及び受信方法について詳細に説明する。
【０００９】
図１は、一実施形態に係る電子機器としての放送受信装置１００の外観の例を示す。  
放送受信装置１００は、映像を表示するディスプレイ（表示部）１３４が設けられる本体１０１と、この本体１０１を自立可能な状態で支える脚部１０２とを備える。また、本体１０１には、受光レンズ１６２ａ及び１６２ｂ、及びスピーカ１２２などが設けられている。放送受信装置１００は、受光レンズ１６２ａ及び１６２ｂと、受光素子とを備える受光部１６２により、リモートコントローラ１６３から送信された赤外線を受信することができる。また、本体１０１には、放送受信装置１００の電源状態を切り替えるための電源スイッチが設けられている。
【００１０】
図２は、一実施形態に係る放送受信装置１００の例を示す。  
放送受信装置１００は、放送信号入力端子１１０、チューナ１１１、復調部１１２、信号処理部１１３、音声処理部１２１、映像処理部１３１、表示処理部１３３、制御部１５０、操作入力部１６１、受光部１６２、及び通信部１７１を備える。また、放送受信装置１００は、さらにスピーカ１２２及びディスプレイ１３４を備える。
【００１１】
放送信号入力端子１１０は、例えばアンテナ１０３により受信されたディジタル放送信号を受け取ることができる。アンテナ１０３は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信することができる。放送信号入力端子１１０は、上記したディジタル放送信号により供給される番組などのコンテンツのデータを受け取ることができる。
【００１２】
放送信号入力端子１１０は、受信したディジタル放送信号をチューナ１１１に供給する。チューナ１１１は、ディジタル放送信号用のチューナである。チューナ１１１は、チューニングしたディジタル放送信号を復調部１１２に送信する。
【００１３】
復調部１１２は、受信したディジタル放送信号を復調する。これにより、復調部１１２は、ディジタル放送信号からトランスポートストリーム（ＴＳ）などのコンテンツデータを取得する。復調部１１２は、取得したコンテンツデータを信号処理部１１３に入力する。即ち、アンテナ１０３、チューナ１１１、及び復調部１１２は、コンテンツデータを受信する受信部として機能する。
【００１４】
信号処理部１１３は、コンテンツデータの分離などの信号処理を行う。即ち、信号処理部１１３は、コンテンツデータをディジタル映像信号、ディジタル音声信号、及びその他のデータ信号に分離する。信号処理部１１３は、音声処理部１２１に音声信号を供給する。また、信号処理部１１３は、映像処理部１３１に映像信号を供給する。さらに、信号処理部１１３は、制御部１５０にデータ信号を供給する。
【００１５】
音声処理部１２１は、信号処理部１１３から受信したディジタル音声信号を、スピーカ１２２により再生可能なフォーマットの信号（オーディオ信号）に変換する。例えば、音声処理部１２１は、ディジタル音声信号をディジタル／アナログ変換によりオーディオ信号に変換する。音声処理部１２１は、オーディオ信号をスピーカ１２２に供給する。スピーカ１２２は、供給されるオーディオ信号に基づいて音を再生する。
【００１６】
映像処理部１３１は、信号処理部１１３から受信したディジタル映像信号を、ディスプレイ１３４で再生可能なフォーマットの映像信号に変換する。即ち、映像処理部１３１は、信号処理部１１３から受信したディジタル映像信号を、ディスプレイ１３４で再生可能なフォーマットの映像信号にデコード（再生）する。映像処理部１３１は、映像信号を表示処理部１３３に出力する。
【００１７】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ１３４に供給する。ディスプレイ１３４は、供給される映像信号に基づいて映像を表示する。
【００１８】
ディスプレイ１３４は、例えば、マトリクス状に配列された複数の画素を備える液晶表示パネルと、この液晶パネルを照明するバックライトとを備える液晶表示装置などを備える。ディスプレイ１３４は、表示処理部１３３から供給される映像信号に基づいて映像を表示する。
【００１９】
制御部１５０は、放送受信装置１００の各部の動作を制御する制御部として機能する。制御部１５０は、ＣＰＵ１５１、ＲＯＭ１５２、ＲＡＭ１５３、及び不揮発性メモリ１５４などを備えている。制御部１５０は、操作入力部１６１または受光部１６２から供給される操作信号に基づいて、種々の処理を行う。
【００２０】
ＣＰＵ１５１は、種々の演算処理を実行する演算素子などを備える。ＣＰＵ１５１は、ＲＯＭ１５２、または不揮発性メモリ１５４などに記憶されているプログラムを実行することにより種々の機能を実現する。
【００２１】
ＲＯＭ１５２は、放送受信装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００２２】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００２３】
不揮発性メモリ１５４は、各種の設定情報、及びプログラムなどを記憶する不揮発性メモリである。
【００２４】
制御部１５０は、ディスプレイ１３４に表示させる映像に重畳させて表示させる種々の表示を生成することができる。
【００２５】
操作入力部１６１は、例えば、ユーザによる操作入力に応じて操作信号を生成する操作キー、またはタッチパッドなどを備える。また、操作入力部１６１は、キーボード、マウス、または操作信号を生成する事ができる他の入力装置などから操作信号を受け取る構成であってもよい。操作入力部１６１は、操作信号を制御部１５０に供給する。なお、タッチパッドは、静電容量式センサ、または他の方式に基づいて位置情報を生成するデバイスを含む。
【００２６】
受光部１６２は、例えば、リモートコントローラ１６３からの赤外線を受光する受光レンズと、受光した光を電気信号に変換するフォトダイオードなどのセンサとを備える。受光部１６２は、受信した赤外線から元の操作信号を生成し、操作信号を制御部１５０に供給する。即ち、受光部１６２は、リモートコントローラ１６３から送信された操作信号を制御部１５０に供給する受信装置として機能する。
【００２７】
リモートコントローラ１６３は、ユーザの操作入力に基づいて操作信号を生成する。リモートコントローラ１６３は、生成した操作信号を赤外線に変換し、赤外線を出力する。これにより、リモートコントローラ１６３は、受光部１６２に赤外線を送信する。
【００２８】
通信部１７１は、ＬＡＮまたは無線ＬＡＮにより無線通信端末としてのルータ経由でインターネット、またはホームネットワークなどのネットワーク上の他の機器と通信を行なうことができる。これにより、放送受信装置１００は、無線通信端末に接続されている他の機器と通信することができる。
【００２９】
またさらに、放送受信装置１００は、ハードディスクドライブ（ＨＤＤ）等の記憶装置を備え、この記憶装置に例えば放送信号またはネットワークなどにより供給されるコンテンツを記憶することができるように構成してもよい。
【００３０】
図３は、受光部１６２の構成の例を示す。  
受光部１６２は、受光レンズ１６２ａ、受光レンズ１６２ｂ、フォトダイオード１６２ｃ、バイアス回路１６２ｄ、バイアス電源部１６２ｅ、比較器１６２ｆ、及びオペアンプ１６２ｇを備える。
【００３１】
受光レンズ１６２ａは、光を受光し、受光した光をフォトダイオード１６２ｃに入射させる。即ち、受光レンズ１６２ａは、リモートコントローラ１６３から出力された赤外線を受光し、フォトダイオード１６２ｃに入射させることができる。
【００３２】
受光レンズ１６２ｂは、光を受光し、受光した光をバイアス回路１６２ｄ内の受光素子に入射させることができる。例えば、受光レンズ１６２ｂは、放送受信装置１００の近傍の外乱光を受光し、受光した光をバイアス回路１６２ｄ内の受光素子に入射させることができる。
【００３３】
フォトダイオード１６２ｃは、光を電流（電気信号）に変換する半導体を備えるモジュールである。フォトダイオード１６２ｃは、受光レンズ１６２ａにより入射された赤外光を電気信号に変換することができる。フォトダイオード１６２ｃは、光電変換により生成した電気信号をオペアンプ１６２ｇを介して制御部１５０に供給することができる。
【００３４】
なお、フォトダイオード１６２ｃは、逆バイアスの電圧が印加されている状態で、ＰＮ接合の接合容量が減少する。即ち、フォトダイオード１６２ｃは、逆バイアスの電圧が印加されている場合に光電変換の応答特性が向上し、さらに、入射光と出力信号との関係もより直線的になる。
【００３５】
バイアス回路１６２ｄは、光を電流（電気信号）に変換するフォトダイオード、または太陽電池などの受光素子を備えるモジュールである。バイアス回路１６２ｄは、受光レンズ１６２ｂにより入射された光を受光素子により電気信号に変換することができる。これにより、バイアス回路１６２ｄは、フォトダイオード１６２ｃに逆バイアスを印加することができる。
【００３６】
なお、フォトダイオード１６２ｃに逆バイアスを印加する為には、バイアス回路１６２ｄの受光素子の短絡電流がフォトダイオード１６２ｃの短絡電流より大きい必要がある。即ち、バイアス回路１６２ｄの受光素子の短絡電流がフォトダイオード１６２ｃの短絡電流より大きい場合、受光素子に順方向の電圧が発生する。これにより、バイアス回路１６２ｄは、フォトダイオード１６２ｃに逆バイアスをかけることができる。
【００３７】
なお、バイアス回路１６２ｄは、複数の受光素子を備えていても良い。バイアス回路１６２ｄは、直列に接続される受光素子の数により、フォトダイオード１６２ｃに印加する逆バイアスの電圧を調整することができる。また、バイアス回路１６２ｄと並列にコンデンサＣ２が設けられている。コンデンサＣ２は、バイアス回路１６２ｄから出力された電流を平滑化し、出力する。
【００３８】
バイアス電源部１６２ｅは、フォトダイオード１６２ｃに逆バイアスを印加する為のモジュールである。バイアス電源部１６２ｅは、外部の電源から電力を受け取り、フォトダイオード１６２ｃに逆バイアスとして印加する。バイアス電源部１６２ｅは、フォトダイオード１６２ｃに所定の強さの逆バイアスを印加することができる。
【００３９】
比較器１６２ｆは、バイアス回路１６２ｄの出力電圧と、予め設定された参照電圧とを比較する。比較器１６２ｆは、比較結果に応じてスイッチＳ１及びスイッチＳ２のＯＮ／ＯＦＦを制御する。
【００４０】
スイッチＳ１は、バイアス電源部１６２ｅとフォトダイオード１６２ｃに設けられている。スイッチＳ１は、ＯＮである場合にバイアス電源部１６２ｅとフォトダイオード１６２ｃとを電気的に接続する。
【００４１】
スイッチＳ２は、バイアス回路１６２ｄとフォトダイオード１６２ｃに設けられている。スイッチＳ２は、ＯＮである場合にバイアス回路１６２ｄとフォトダイオード１６２ｃとを電気的に接続する。
【００４２】
比較器１６２ｆは、バイアス回路１６２ｄの出力電圧が参照電圧より高い場合、スイッチＳ１をＯＦＦし、スイッチＳ２をＯＮする。これにより、比較器１６２ｆは、バイアス回路１６２ｄの出力電圧が一定以上の値である場合にバイアス回路１６２ｄからの逆バイアス電圧がフォトダイオード１６２ｃに印加されるように受光部１６２を制御することができる。
【００４３】
また、比較器１６２ｆは、バイアス回路１６２ｄの出力電圧が参照電圧より低い場合、スイッチＳ１をＯＮし、スイッチＳ２をＯＦＦする。これにより、比較器１６２ｆは、バイアス回路１６２ｄの出力電圧が一定未満の値である場合にバイアス電源部１６２ｅからの逆バイアス電圧がフォトダイオード１６２ｃに印加されるように受光部１６２を制御することができる。
【００４４】
即ち、比較器１６２ｆ、スイッチＳ１、及びスイッチＳ２は、フォトダイオード１６２ｃに印加する逆バイアスをバイアス回路１６２ｄの出力電圧とバイアス電源部１６２ｅの出力電圧とで切り替える制御部として機能する。
【００４５】
さらに、フォトダイオード１６２ｃとバイアス回路１６２ｄ及びバイアス電源部１６２ｅとの間には抵抗Ｒ１が設けられている。また、フォトダイオード１６２ｃとオペアンプ１６２ｇとの間には、容量Ｃ１が設けられている。この抵抗Ｒ１と容量Ｃ１とにより、ハイパスフィルタが構成される。ハイパスフィルタは、フォトダイオード１６２ｃから出力された低周波数の信号をカットし、高周波数の信号をパスするフィルタである。
【００４６】
一般的に、外乱光は、室内の照明の光、または太陽光などである。これらの外乱光は、低周波成分と高周波成分との混合光である。外乱光の低周波成分の光に応じてフォトダイオード１６２ｃにより生成された信号は、ハイパスフィルタによりカットされる。また、外乱光の高周波成分の光に応じてフォトダイオード１６２ｃにより生成された信号は、オペアンプ１６２ｇの後段のバンドパスフィルタ（図示せず）により除去される。
【００４７】
また、赤外光は、副搬送波により送出される為、高周波数の成分が主である。例えば、ハイパスフィルタは、外乱光からフォトダイオード１６２ｃにより生成された信号がオペアンプ１６２ｇに流れることを防ぎ、且つ、赤外光からフォトダイオード１６２ｃにより生成された信号（操作信号）をオペアンプ１６２ｇに流すことができる。
【００４８】
オペアンプ１６２ｇには、抵抗Ｒ２が並列に接続されている。オペアンプ１６２ｇと抵抗Ｒ２とにより、電流−電圧変換回路が構成される。オペアンプ１６２ｇ及び抵抗Ｒ２は、ハイパスフィルタを通過したフォトダイオード１６２ｃからの電流を電圧に変換することができる。これにより、受光部１６２は、受信した赤外光に応じた値の電圧値を操作信号として制御部１５０に出力することができる。
【００４９】
上記のような構成によると、受信装置としての受光部１６２は、低周波の外来光が受光レンズ１６２ｂに照射されている場合、バイアス回路１６２ｄの出力電圧を上昇させることができる。
【００５０】
これにより、受光部１６２は、バイアス回路１６２ｄの出力電圧が参照電圧を超えた場合に、バイアス回路１６２ｄからフォトダイオード１６２ｃに逆バイアスが供給される。この為、受光部１６２は、バイアス電源部１６２ｅから無駄な電流が流れることなく、フォトダイオード１６２ｃの応答特性を向上させることができる。
【００５１】
また、受光部１６２は、バイアス回路１６２ｄの出力電圧が参照電圧未満である場合に、バイアス電源部１６２ｅからフォトダイオード１６２ｃに逆バイアスが供給される。この為、受光部１６２は、外来光が受光レンズ１６２ｂに照射されない場合であっても、フォトダイオード１６２ｃの応答特性を向上させることができる。
【００５２】
即ち、受光部１６２は、定常電源の逆バイアス印加用のモジュール（第１のモジュール）と、光電変換により逆バイアスを印加するモジュール（第２のモジュール）と、を備える。受光部１６２は、第１のモジュールの出力と第２のモジュールの出力との値に応じて、第１のモジュールからの出力と第２のモジュールからの出力とのいずれかをフォトダイオード１６２ｃに印加させる。これにより、受光部１６２は、より安定し、且つ省電力で赤外線を受信し、操作信号を生成することができる。この結果、より効率的に動作する受信装置、電子機器、及び受信方法を提供することができる。
【００５３】
なお、上記した抵抗Ｒ１、容量Ｃ１、オペアンプ１６２ｇ、及び抵抗Ｒ２は、他のモジュールにより構成されていてもよい。
【００５４】
また、比較器１６２ｆに入力される参照電圧は、任意の値で設定されてもよい。受光部１６２は、外部から、参照電圧を設定する為の設定信号を受け取る。受光部１６２は、受け取った設定信号に応じて参照電圧を変更する。即ち、受光部１６２は、放送受信装置１００内の設定メニュー、操作入力、または他の方法により比較器１６２ｆに入力される参照電圧の値を決定する為のメモリを書き換えることができる。これにより、より最適な参照電圧が設定されることが可能になる。
【００５５】
図４は、受光部１６２の構成の他の例を示す。  
受光部１６２は、受光レンズ１６２ａ、受光レンズ１６２ｂ、フォトダイオード１６２ｃ、バイアス回路１６２ｄ、バイアス電源部１６２ｅ、及びオペアンプ１６２ｇを備える。さらに、受光部１６２は、バイアス回路１６２ｄとフォトダイオード１６２ｃとの間に設けられたダイオード（逆流防止ダイオード）Ｄ１を備える。またさらに、バイアス電源部１６２ｅとフォトダイオード１６２ｃとの間に設けられたダイオード（逆流防止ダイオード）Ｄ２を備える。
【００５６】
ダイオードＤ１は、フォトダイオード１６２ｃ側からバイアス回路１６２ｄに電流が逆流することを防ぐ素子である。即ち、ダイオードＤ１は、バイアス電源部１６２ｅからの電圧により電流がバイアス回路１６２ｄに流れることを防ぐ。ダイオードＤ２は、フォトダイオード１６２ｃ側からバイアス電源部１６２ｅに電流が逆流することを防ぐ素子である。即ち、ダイオードＤ２は、バイアス回路１６２ｄからの電圧により電流がバイアス電源部１６２ｅに流れることを防ぐ。
【００５７】
このような構成によると、バイアス回路１６２ｄからの出力とバイアス電源部１６２ｅからの出力とのうちで、より電圧の高い方がフォトダイオード１６２ｃに逆バイアスとして印加される。即ち、ダイオードＤ１及びダイオードＤ２は、上記のスイッチＳ１、スイッチＳ２、及び比較器１６２ｆと同様の処理を行うことができる。即ち、ダイオードＤ１及びダイオードＤ２は、バイアス回路１６２ｄの出力電圧とバイアス電源部１６２ｅの出力電圧とのいずれかをフォトダイオード１６２ｃに印加させる制御部として機能する。
【００５８】
この構成によっても受光部１６２は、定常電源の逆バイアス印加用のモジュール（第１のモジュール）と、光電変換により逆バイアスを印加するモジュール（第２のモジュール）と、で電圧の高い方をフォトダイオード１６２ｃに印加させることができる。これにより、受光部１６２は、より安定し、且つ省電力で赤外線を受信し、操作信号を生成することができる。この結果、より効率的に動作する受信装置、電子機器、及び受信方法を提供することができる。さらに、このような構成によると、スイッチＳ１、スイッチＳ２、及び比較器１６２ｆなどの配線の追加の必要がない。この為、より容易に実現が可能である。
【００５９】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００６０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６１】
１００…放送受信装置、１０１…本体、１０２…脚部、１１０…放送信号入力端子、１１１…チューナ、１１２…復調部、１１３…信号処理部、１２１…音声処理部、１２２…スピーカ、１３１…映像処理部、１３３…表示処理部、１３４…ディスプレイ、１５０…制御部、１５１…ＣＰＵ、１５２…ＲＯＭ、１５３…ＲＡＭ、１５４…不揮発性メモリ、１６１…操作入力部、１６２…受光部、１６２ａ…受光レンズ、１６２ｂ…受光レンズ、１６２ｃ…フォトダイオード、１６２ｄ…バイアス回路、１６２ｅ…バイアス電源、１６２ｆ…比較器、１６２ｇ…オペアンプ、１６３…リモートコントローラ、１７１…通信部。
【図１】
2014099464.tif 000003
【図２】
2014099464.tif 000004
【図３】
2014099464.tif 000005
【図４】
2014099464.tif 000006